(57)【特許請求の範囲】
【請求項１】
装置本体内の回路基板に装着され、メモリカードを保持することにより、メモリカードと装置本体内の回路素子との電気的接続を実現する電気コネクタであって、
メモリカードを挿入し保持するためのコネクタハウジングと、
コネクタハウジングに固定された複数の接続端子とを備え、
前記各接続端子は、コネクタハウジングに保持されたメモリカードと電気的に接触可能な部分を有するとともに、当該接続端子の基端側に、前記回路基板と電気的に接続される基端接続部とを有し、
前記接続端子のうち少なくとも１本の接続端子は、前記メモリカードと電気的に接触可能な部分を挟んだ先端側に、前記回路基板に接合される先端接続部を有し、
前記少なくとも１本の接続端子の前記基端接続部と前記先端接続部とは、メモリカードの挿入方向に沿った前後位置にあり、
前記基端接続部と前記先端接続部とは、前記回路基板の所定の金属端子に対して、それぞれ接合されていることを特徴とする 電気コネクタ。
【請求項２】
前記基端接続部が接合されている前記回路基板の所定の金属端子は回路素子と電気的に接続され、前記先端接続部が接合されている前記回路基板の他の所定の金属端子は、回路素子と電気的に接続されていないことを特徴とする請求項１記載の電気コネクタ。
【発明の詳細な説明】
【０００１】
【発明の属する技術分野】
本発明は、携帯電話機などの装置本体内の回路基板に装着され、メモリカードを保持することにより、メモリカードと装置本体内の回路素子との電気的接続を実現する電気コネクタに関するものである。
【０００２】
【従来の技術】
外付け用メモリカードと携帯電話機などの装置本体内の回路素子とを接続するための電気コネクタが知られている。
この電気コネクタは、前記メモリカードを収納する樹脂製のコネクタハウジングと、このコネクタハウジングと一体に固定配置された複数の金属製コンタクト（接続端子）とを備えている。
【０００３】
前記コネクタハウジングの接続端子の各一端を装置本体内の回路基板の電極に半田付け等により接合する。この状態でコネクタハウジングにメモリカードを収納すると、メモリカードの端子が、コネクタハウジングの接続端子の所定部分（例えばベローズ状に折り返された部分）と接触する。これにより、メモリカードと装置本体内の回路素子との電気的な接続が実現される。
【０００４】
【発明が解決しようとする課題】
前記装置本体内の回路基板とコネクタハウジングとの機械的な接続は、前記接続端子の一端における半田付け等により実現される（つまり前記半田付け等の部分が、電気的な接続と機械的な接続とを兼ねている）。
ところが、前記接続端子の、装置本体内の回路基板と接続される一端と反対側の端は、何にも固定されずに遊んでおり、このため、メモリカードを多数回着脱すると、前記接続される部分の疲労により、前記接続端子及びこれと一体になったコネクタハウジングが、装置本体内の回路基板から浮き上がるおそれがある。
【０００５】
この浮き上がりを防止するために、例えば、前記接続端子が装置本体内の回路に接続される部分を、隣合う端子ごとに一端、他端と振り分けることも考えられるが、こうすれば、装置本体内の回路パターンの引き回しが困難になり、小型化に支障をきたす。
そこで、本発明は、簡単な構造を採用することにより、電気コネクタを装置本体内に装着した場合に、装置本体内が回路基板から浮き上がるのを防止することのできる電気コネクタを実現することを目的とする。
【０００６】
【課題を解決するための手段及び発明の効果】
本発明の電気コネクタは、メモリカードを挿入し保持するためのコネクタハウジングと、コネクタハウジングに固定された複数の接続端子とを備え、前記各接続端子は、コネクタハウジングに保持されたメモリカードと電気的に接触可能な部分を有するとともに、当該接続端子の基端側に、前記回路基板と電気的に接続される基端接続部とを有し、前記接続端子のうち少なくとも１本の接続端子は、前記メモリカードと電気的に接触可能な部分を挟んだ先端側に、前記回路基板に接合される先端接続部を有し、前記少なくとも１本の接続端子の前記基端接続部と前記先端接続部とは、メモリカードの挿入方向に沿った前後位置にあり、前記基端接続部と前記先端接続部とは、前記回路基板の所定の金属端子に対して、それぞれ接合されていることを特徴とする。
【０００７】
この構成によれば、接続端子のうち少なくとも１本の接続端子は、前記基端接続部と前記先端接続部との２箇所において、回路基板に接続される。したがって、回路基板との接続が安定し、メモリカードを多数回着脱しても回路基板から容易に浮き上がることのない電気コネクタを実現することができる。
【０００８】
また、前記少なくとも１本の接続端子は、装着される回路基板に接続される前記基端接続部と前記先端接続部とを、前記「メモリカードと電気的に接触可能な部分」を挟んでメモリカードの挿入方向に沿った前後位置に有するので、従来のように片持ち構造でなく、「メモリカードと電気的に接触可能な部分」の両側で回路基板に接続されるので、回路基板との接続がさらに強固に安定し、メモリカードを多数回着脱しても回路基板から容易に浮き上がることのない電気コネクタとすることができる。
【０００９】
【発明の実施の形態】
以下、本発明の実施の形態を、添付図面を参照しながら詳細に説明する。
図１(a)は、本発明の電気コネクタ１の平面図、図１(b)は側断面図を示す。図２は、本発明の電気コネクタ１の底面図を示す。図３(a)は、第１種の接続端子の平面図を示し、図３(b)は、同側面図を示す。
この電気コネクタ１は、絶縁性のプラスチック素材に金属製接続端子をインサートして成形したものである。プラスチックからなる部分をコネクタハウジング２という。
【００１０】
コネクタハウジング２は、平面板状に形成され、両面にカードホルダー３（図４参照）を挿入するための溝２ａ，２ｂが設けられている。このカードホルダー３は、ＳＩＭ(Subscriber Identity Module)カードなどのメモリカード６（図４参照）を保持するものである。
コネクタハウジング２は、６個の接続端子４ａ〜４ｆを同一側に取り付けている。接続端子４ａ〜４ｆの基端（図１上側）の露出部は、装置本体内の回路基板との接合のため段差を設けて折り曲げられており（以下この折曲部分を「基端接続部４１ａ〜４１ｆ」という。代表するときは「基端接続部４１」という）、この基端接続部４１ａ〜４１ｆが回路基板５（図４参照）の金属端子にクリーム半田付けされる。なお、半田付け以外に超音波溶着などの方法で接合されるようにしてもよい。
【００１１】
接続端子４ａ〜４ｆは、形状に応じて第１種の接続端子４ａ，４ｃ，４ｅと第２種の接続端子４ｂ，４ｄ，４ｆの２種類あり、コネクタハウジング２に交互に配置されている。第１種の接続端子４ａ，４ｃ，４ｅは、全長がコネクタハウジング２の下辺（図１下側）まで達する長さにされており、第２種の接続端子４ｂ，４ｄ，４ｆは、全長が第１種の接続端子４ａ，４ｃ，４ｅの約半分の長さになっている。
【００１２】
第２種の接続端子４ｂ，４ｄ，４ｆは、側断面図（図１(b)）に示すように、基端接続部４１ｂ，４１ｄ，４１ｆに近い部分がコネクタハウジング２の樹脂２ｃに埋め込まれ、保持されている。そして、先端において、ベローズ状に折り返されている。
これに対して、第１種の接続端子４ａ，４ｃ，４ｅは、平面図（図１(a)）に示すように、基端接続部４１ａ，４１ｃ，４１ｅと先端接続部（後述）を除き、ほとんど全身がコネクタハウジング２の樹脂に埋め込まれ、保持されている。
【００１３】
第１種の接続端子４ａ，４ｃ，４ｅは、基端から全長3/4程度の位置において、一部４３がベローズ状に折り返されている。折り返されなかった地金の部分の先端の突起部分は、側面図（図１(b)，図３(b)）に示すように、前記基端接続部４１と同様、回路基板に半田付けするために段差を設けて折り曲げられている。この折り曲げられた先端の突起部分を、以下「先端接続部４２ａ，４２ｃ，４２ｅ」という。代表するときは、「先端接続部４２」という。先端接続部４２ａと基端接続部４１ａとは挿入方向Ａ（図１(a)参照）に沿った前後位置にある。先端接続部４２ｃと基端接続部４１ｃも挿入方向Ａに沿った前後位置にあり、先端接続部４２ｅと基端接続部４１ｅも挿入方向Ａに沿った前後位置にある。
【００１４】
以上のベローズ形状の曲げ方向は、６つの接続端子４ａ〜４ｆについて、全てメモリカードの挿入方向Ａと平行となっている。またベローズ形状の折り返し部は、メモリカードの挿入側に位置している。
両側の第１種の接続端子４ａ，４ｅの先端接続部４２ａ，４２ｅは、コネクタハウジング２に設けられた窓２ｄから露出して折り曲げられているが、真中の第１種の接続端子４ｃには、窓が設けられていない。これは、接続端子４ａ，４ｅ，４ｅを全部露出させると、コネクタハウジング２に露出のための窓を続けて３つ設けなければならず、コネクタハウジング２に強度的な問題が発生するからである。しかし、底面図（図２）から分かるように、真中の第１種の接続端子４ｃの先端接続部４２ｃも折り曲げられ、コネクタハウジング２の底面に露出して、回路基板に接合できるようになっている。
【００１５】
図４は、電気コネクタ１の使用状態を示す側断面図である。カードの挿入方向を矢印Ａで表している。電気コネクタ１は、前記基端接続部４１及び先端接続部４２が回路基板５の金属端子に接合されることにより、装置本体内の回路基板５に固定される。なお、基端接続部４１が接合される回路基板５の金属端子は、装置本体の回路素子につながっている必要があるが、先端接続部４２が接合される金属端子は、必ずしも装置本体の回路素子につながれている必要はなく、他と絶縁された状態であってもよい。電気的な接続は、接続端子の１箇所において行えば十分であるからである。これとは反対に、先端接続部４２が接合される回路基板５の金属端子が装置本体の回路素子につながっていて、基端接続部４１が接合される金属端子が装置本体の回路素子につながれていなくてもよい。
【００１６】
以上の電気コネクタ１の構造において、ＳＩＭカード６を保持したカードホルダー３をコネクタハウジング２に挿入すると、ＳＩＭカード６の端子部が、第１種、第２種の接続端子４ａ〜４ｆのベローズ状に折り返された部分に接触してＳＩＭカードと装置本体の回路との電気的接続が達成され、装置本体が機能する。
第１種の接続端子４ａ，４ｃ，４ｅの基端接続部４１ａ，４１ｃ，４１ｅだけでなく、先端接続部４２ａ，４２ｃ，４２ｅも回路基板に接合され、かつ第１種の接続端子４ａ，４ｃ，４ｅがコネクタハウジング２の樹脂に埋め込まれ、保持されているので、コネクタハウジング２自体の基板５からの浮き上がりを防止することができる。
【００１７】
なお、第２種の接続端子４ｂ，４ｄ，４ｆは、従来の片持ちベローズ構造のままであるが、第１種の接続端子４ａ，４ｃ，４ｅによってコネクタハウジング２の基板からの浮き上がりを防止しているので、問題ないと考えている。
以上で、本発明の実施の形態を説明したが、本発明の実施は、前記の形態に限定されるものではなく、本発明の範囲内で種々の変更を施すことが可能である。
【図面の簡単な説明】
【図１】  (a)は、本発明の電気コネクタ１の平面図、(b)はＸ−Ｘ側断面図である。
【図２】本発明の電気コネクタ１の底面図である。
【図３】  (a)は、第１種の接続端子の平面図、(b)は、同側面図である。
【図４】電気コネクタ１の使用状態を示す側断面図である。
【符号の説明】
１  電気コネクタ
２  コネクタハウジング
２ｄ  窓
３  カードホルダー
５  回路基板
６  メモリカード
４ａ〜４ｆ  接続端子
４ａ，４ｃ，４ｅ  第１種の接続端子
４ｂ，４ｄ，４ｆ  第２種の接続端子
４１ａ〜４１ｆ  基端接続部
４２ａ，４２ｃ，４２ｅ  先端接続部
Ａ  メモリカードの挿入方向
【図１】
0004806499.tif 000002
【図２】
0004806499.tif 000003
【図３】
0004806499.tif 000004
【図４】
0004806499.tif 000005